(57)【要約】      （修正有）【課題】部屋の中や家の周囲の状況をＰＣカメラで捕らえ、その画像を配信端末から発信する為にＯＳ等を使用しており安価にならない現状があった。【解決手段】カメラと配信装置をマシン語で制御する事で、小型で安価なシステムが可能となった。また、ＰＣカメラからの画像がパソコンを通してサーバーに信号が届いた時に、サーバーから指定の電子アドレスに信号を転送し、その転送情報を元に顧客が画像を見る為にアクセスするかどうか判断できる様な仕組みにして、不要と思われる画像は受信しない事とした。【選択図】図１
2004173135.tif 000002
【特許請求の範囲】
【請求項１】
ＣＣＤカメラに搭載された画像配信装置から、指定した時間間隔でサーバーに画像が転送され、そのサーバーからは画像情報をあらかじめ指定された電子アドレスに配信される、その配信情報を見て指定された連絡先にアクセスする事で静止画像を受信するシステム。
【請求項２】
ＣＣＤカメラに搭載された画像配信装置に設定された感度で、人や影が認識された時に自動的にＣＣＤカメラからの映像がサーバーに転送され、その画像情報をあらかじめ指定された電子アドレスに配信される、その配信情報を見て指定された連絡先にアクセスする事で静止画像を受信するシステム。
【請求項３】
この装置を売るのでは無く、サーバー使用料として毎月小額料金を顧客様の口座より自動引き落としとし、更新の場合に新しいＩＤとパスワードを発行して、それを使用する事で継続使用が可能となるシステム。
【請求項４】
ＣＣＤカメラと通信システムを一体化させ、カメラ本体にコンピューターチップを搭載させる、この制御プログラムは一般のＯＳを使用せずマシン語を使用する、このカメラからの画像送信装置とこれを制御するプログラム。
【発明の詳細な説明】
機械語によって制御された、ＣＣＤカメラと画像配信装置からなる装置が、設定した一定の時間間隔、あるいは人影や人物等がＣＣＤカメラに検出された時に、その画像情報をサーバーに送信する、サーバーが画像を受け取ると、事前に登録されている電子アドレスに連絡が行く、その連絡を受け取り指定された連絡先にアクセスする事で、画像が届けられるシステムである。
【０００１】
【発明の属する技術分野】
本発明は、住宅内や車内の出来事をＣＣＤカメラに搭載された画像配信装置から発信された静止画像を遠隔地にある、移動体通信端末やパソコンで見る事が出来る、画像配信に関するものである。
【０００２】
【従来の技術】
従来の画像の配信装置は、異常検知センサー及び監視カメラにて異常を検知し、動画で配信する方法が取られている（例えば、特許文献１参照。）。
画象を圧縮して通信費、通信時間を削減する為の装置（例えば、特許文献２参照。）。
携帯電話などから人的意思によって、画像情報をパソコンや携帯電話に配信するシステム
（例えば、特許文献３参照。）。
あるいは、所定の時刻に画像を表示する装置（例えば、特許文献４参照。）。
【０００３】
【参考文献１】
特開２００１−２４５０６９号公報
【参考文献２】
特開２００１―３４６１７３号公報
【参考文献３】
特開２００２―７７８６０号公報
【参考文献４】
特開２００２―１７１３６２号公報
【０００４】
ＰＣカメラやデジタルカメラからあるいはＣＣＤカメラの画像をパソコン経由で携帯電話に転送するのに、ＯＳ等が組み込まれており、装置として大きい物であった。
【０００５】
【発明が解決しょうとする課題】ＣＣＤを搭載した画像配信装置から、サーバーを経由してあらかじめ設定された、移動通信端末やパーソナルコンピューターに画像の受信を伝え、その連絡を受けたアドレスに発信する事で画像を受信する。
【０００６】
ソフトウエアの設定後、ＣＣＤカメラに搭載された通信体を必要な方向に向けた状態で設置しておく事で、一定した時間やサイクルで通信体を介してサーバーに自動送信される。
【０００７】あるいはＣＣＤカメラに影や人物が捉えられた時に、自動的にその画像情報が通信体を介してサーバーに自動送信される。
【０００８】事前に登録されている電子アドレスにサーバーから連絡が入る、その連絡を受け指定されたアドレスに発信する事で、所定の画像を見る事が出来る。
【０００９】その画像を見て、徘徊老人やペットの生活状態を知る事ができる。
【００１０】車内においては、ＣＣＤカメラをセットした状態で不審者が座席に座った時に画像が送信される。
【００１１】万が一にも異常の発生を検出した場合には、決めた連絡先に通報するなり、自分が帰宅するなどの対応をとることで最悪の状態を回避できる。
【００１２】サーバーからの着信連絡を受けた移動体通信端末から、指定のアドレスに発信する事で画像が確かめられるが、画像の確認の必要がない場合には所定のアドレスに発信する必要が無いので、利用者の判断で選択が可能である。
【００１３】移動通信端末に届けられる画像も数キロバイトの小さなものであり、ストレスを感じない速度での受信が可能となる。
【００１４】受信するのが移動体通信体端末だけでなく、パソコンへの受信も事前の登録設定によって可能になるので、一度に複数箇所への発信される。
【課題を解決するための手段】項目１は、一定時間内の時間間隔設定により、決められた電子アドレスに画像着信の信号をサーバーより発信する。その信号を受け取り、指定のアドレスに発信する事で、画像を入手する事が出来る。
項目２は、ＣＣＤカメラに搭載された画像配信装置に設定された感度で、人や影が認識された時に自動的にＣＣＤカメラの映像がサーバーに転送され、その画像情報をあらかじめ指定された電子アドレスに配信される、その配信情報を見て指定された連絡先にアクセスする事で静止画像を受信する装置。
項目３は、毎月小額のサーバー使用料をお客様に負担して頂く事で、枚数に制限なく使用できるので、業務用での使用やヘビーユーザーには大きなメッリットが生じる。
項目４は、ＣＣＤカメラから得られた画像を移動通信端末等に送信するのに、ＯＳ等を使用せず、直接マシン語でチップを制御する方法を取っているので、安価にシステムが供給可能となる。
【００１５】
【発明の実施の形態】以下、本発明の実施の形態について、図面を参照して説明
する。
【００１６】図１は、本発明のＣＣＤ搭載の画像配信装置を利用した、遠隔地での情報の受信システムの全体構成を示す概略図である。
【００１７】図２は、本発明の構造を示すものであり、ＣＣＤカメラ部分での画像の取り込み部分と通信体での画像発信部分を機械語で制御する。
【００１８】
【発明の効果】自宅や車内等の情報を遠隔地で見る事ができるので、火災や盗難が発生しても、即座に警察や消防に連絡ができるので、災害や被害を最小限度にとどめることができる。
【００１９】家庭で飼っているペットの状態が遠隔地で見る事ができるので、出張等で家を開けていても安心できる、また緊急の場合が発生しても近所の人や警察に即刻連絡ができるので、安心である。
【００２０】玄関や窓にＰＣカメラを装着する事で、不審者が居た場合には顔や風体が送られて来るので、遠隔地から警察に即刻通告できる。
【００２１】自宅に徘徊老人がいて外出も出来ない人も、ご老人の姿を目で確認出来るので、短時間の買い物などの時に安心である。
【００２２】車中に設置する事で車両泥棒の顔写真を撮影する事が出来るので、窃盗犯の割り出しが容易になる。
【００２３】小さな静止画像を受信するので、携帯電話のメモリーを全く気にせずに受信できる。
【００２４】毎月のサーバー使用料が極めて安く、年間を通じても経済的負担が少なくてすむ。顧客の負担はこのサーバー使用料と最初に購入するＣＣＤカメラの搭載された画像配信装置だけで済む。
【図面の簡単な説明】
【図１】本発明の移動体通信端末を利用した自宅内外での情報をリアルタイムに受信する為のシステム構成を示す概略図である。
【図２】ＣＣＤカメラ搭載画像配信装置。
【符号の説明】
（図１）
１  検出機器（ＣＣＤカメラ搭載画像配信装置）
２  サーバー
３  移動体通信端末
Ｎ１  インターネット網
Ｎ２  通信端末網
Ｎ３  画像情報入手の連絡
Ｎ４  サーバーから画像の入手
（図２）ＣＣＤカメラ搭載画像配信装置。
１  ＣＣＤカメラ部
２  マシン語でのカメラと通信部の制御を行う
４  通信部、サーバーへ画像を送る部分
Ｎ１  インターネット網
【図１】
2004173135.tif 000003
【図２】
2004173135.tif 000004